(57)【要約】【課題】  ファイルの孔綴じ具等を使用しなくとも、複数枚のシート片を簡単に書籍のように綴じることができる粘着シートを提供する。【解決手段】  帯状のベースシート１１０と、このベースシート１１０の表面１１１に等間隔で形成された表面側粘着面１２０と、前記ベースシート１１０の裏面１１２に等間隔で形成された裏面側粘着面１３０と、前記表面側粘着面１２０及び前記裏面側粘着面１３０をカバーするピール紙１４０とを備えており、前記表面側粘着面１２０と前記裏面側粘着面１３０とは、交互に形成されており、前記ベースシート１１０は、前記表面側粘着面１２０と前記裏面側粘着面１３０との境目部分には折り目１１５が形成されており、隣接する折り目１１５は逆方向に形成されている。【選択図】      図１
0003141689.tif 000002
【実用新案登録請求の範囲】
【請求項１】
帯状のベースシートと、このベースシートの表面に等間隔で形成された表面側粘着面と、前記ベースシートの裏面に等間隔で形成された裏面側粘着面と、前記表面側粘着面及び前記裏面側粘着面をカバーするピール紙とを具備しており、前記表面側粘着面と前記裏面側粘着面とは、交互に形成されており、前記ベースシートは、前記表面側粘着面と前記裏面側粘着面との境目部分には折り目が形成されており、隣接する折り目は逆方向に形成されていることを特徴とする粘着シート。
【請求項２】
前記ベースシート、表面側粘着面及び裏面側粘着面は、透光性を有していることを特徴とする請求項１記載の粘着シート。
【請求項３】
前記折り目には、ミシン目が形成されていることを特徴とする請求項１又は２記載の粘着シート。
【考案の詳細な説明】
【技術分野】
【０００１】
本考案は、複数のシート片を書籍のように綴じることができる粘着シートに関する。
【背景技術】
【０００２】
例えば、３枚のシート片を書籍のように綴じるためには、１枚目のシート片と２枚目のシート片との間を粘着テープで連結させるとともに、２枚目のシート片と３枚目のシート片との間を別の粘着テープで連結しなければならなかった。
このように複数のシート片を書類のように綴じる機会は、簡単な冊子の製本や確定申告時の領収書等の各種書類をまとめる際等、数多くあった。
このように複数の粘着テープを用いた複数枚のシート片を連結して書籍のように綴じるのは非常に手間のかかる作業であった。
【０００３】
かかる場合に、簡単に複数枚のシート片を書籍のように綴じるものとしては、特開２００２−００２１６７号公報記載の「差し替えファイル用書類等の支持シート」がある。
この「差し替えファイル用書類等の支持シート」は、「差し替えファイルの孔綴じ具に取付けられる複数個の孔が一側部寄りの部位に形成されたテープ状の支持シート本体と、この支持シート本体の他部側の上面に形成された該支持シート本体の一側部あるいは剥離紙で覆われた接着あるいは粘着剤層とからなる」ものである。
【０００４】
【特許文献１】特開２００２−００２１６７号公報
【考案の開示】
【考案が解決しようとする課題】
【０００５】
しかしながら、この「差し替えファイル用書類等の支持シート」は、差し替えファイルの孔綴じ具（いわゆるルーズリーフ）の存在を前提条件としているため、差し替えファイルの孔綴じ具がない場合には、シート片を綴じることができない。
【０００６】
本考案は、上記事情に鑑みて創案されたもので、差し替えファイルの孔綴じ具を使用することなしに、複数枚のシート片を書籍のように綴じることができる粘着シートを提供することを目的としている。
【課題を解決するための手段】
【０００７】
本考案に係る粘着シートは、帯状のベースシートと、このベースシートの表面に等間隔で形成された表面側粘着面と、前記ベースシートの裏面に等間隔で形成された裏面側粘着面と、前記表面側粘着面及び前記裏面側粘着面をカバーするピール紙とを備えており、前記表面側粘着面と前記裏面側粘着面とは、交互に形成されており、前記ベースシートは、前記表面側粘着面と前記裏面側粘着面との境目部分には折り目が形成されており、隣接する折り目は逆方向に形成されている。
【０００８】
また、前記ベースシート、表面側粘着面及び裏面側粘着面は、透光性を有している。
【０００９】
さらに、前記折り目には、ミシン目が形成されている。
【考案の効果】
【００１０】
本考案に係る粘着シートは、表面側粘着面にシート片を次々と貼り付けた後、裏面側粘着面でベースシートを貼り付けていくと、簡単に複数枚のシート片を書籍のように綴じることができる。すなわち、従来のように差し替えファイルの孔綴じ具（いわゆるルーズリーフ）をまったく使うことなく、複数枚のシート片を綴じることができるのである。
【００１１】
また、前記ベースシート、表面側粘着面及び裏面側粘着面が透光性を有しているため、シート片の粘着面が貼り付けられた部分も視認することができるので、シート片に記された模様やデータ等が見えなくなるということがない。
【００１２】
さらに、前記折り目にミシン目が形成されていると、ベースシートをミシン目から切断して粘着テープの代用品とすることができる。特に、この粘着シートはコンパクトに蛇腹状に折り畳むことができるので、手帳等に挟んで持ち運びすることができる。
【考案を実施するための最良の形態】
【００１３】
図１は本考案の実施の形態に係る粘着シートの概略的斜視図、図２は本考案に係る粘着シートを用いて複数枚のシートを書籍のように綴じる手順を示す概略的説明図、図３は本考案の実施の形態に係る粘着シートに用いられるベースシートの概略的平面図である。
【００１４】
本考案に係る粘着シート１００は、帯状のベースシート１１０と、このベースシート１１０の表面１１１に等間隔で形成された表面側粘着面１２０と、前記ベースシート１１０の裏面１１２に等間隔で形成された裏面側粘着面１３０と、前記表面側粘着面１２０及び前記裏面側粘着面１３０をカバーするピール紙１４０とを備えており、前記表面側粘着面１２０と前記裏面側粘着面１３０とは、交互に形成されており、前記ベースシート１１０は、前記表面側粘着面１２０と前記裏面側粘着面１３０との境目部分には折り目１１５が形成されており、隣接する折り目１１５は逆方向に形成されている。
【００１５】
前記ベースシート１１０には、透光性を有する素材、例えば、セロファン紙を帯状に形成したものが用いられる。
【００１６】
かかるベースシート１１０の表面１１１には、例えば、１ｃｍ幅の表面側粘着面１２０が１ｃｍ間隔で平行に形成されている。この表面側粘着面１２０は、再剥離性粘着剤をベースシート１１０の表面１１１に塗布することで形成される。
【００１７】
このように表面側粘着面１２０が形成されたベースシート１１０の裏面１１２には、１ｃｍ幅の裏面側粘着面１３０が１ｃｍ間隔で平行に形成されている。ただし、表面側粘着面１２０と裏面側粘着面１３０とは、重ならないように交互に形成されている。すなわち、表面側粘着面１２０が形成された裏側には裏面側粘着面１３０は形成されず、裏面側粘着面１３０が形成された表側には表面側粘着面１２０は形成されないのである。
【００１８】
なお、前記表面側粘着面１２０及び裏面側粘着面１３０を構成する再剥離性粘着剤は、透光性を有し、かつベースシート１１０に塗布した状態でも透光性を失われないものが用いられる。
すなわち、ベースシート１１０も、表面側粘着面１２０及び裏面側粘着面１３０を構成する再剥離性粘着剤も透光性を有しているため、シート片２００の粘着面１２０、１３０が貼り付けられた部分も粘着面１２０、１３０及びベースシート１１０を介して視認することができるのである。
【００１９】
そして、表面側粘着面１２０と裏面側粘着面１３０とは、ピール紙１４０でカバーされている。
【００２０】
そして、前記ベースシート１１０は、前記表面側粘着面１２０と前記裏面側粘着面１３０との境目部分に折り目１１５が形成されている。そして、この折り目１１５は、隣接する折り目１１５は逆方向に形成されている。
【００２１】
すなわち、図１に示すように、最も左側の表面側粘着面１２０とそれに隣接する裏面側粘着面１３０との境目部分の折り目１１５が谷おりであるならば、前記裏面側粘着面１３０と左から２つ目の表面側粘着面１２０との境目部分の折り目１１５が山おりになるのである。
従って、この粘着シート１００の折り目１１５を順番に折っていけば、粘着シート１００自体が蛇腹状に折り畳まれることになる。
【００２２】
このように構成された粘着シート１００を用いて３枚のシート片２００Ａ、２００屁、２００Ｃを書籍のように綴じる手順について図２を参照しつつ説明する。
まず、２（Ａ）に示すように、粘着シート１００を若干拡げる。
次に、図２（Ｂ）に示すように、最も左側の表面側粘着面１２０をカバーしているピール紙１４０を剥離し、１枚目のシート片２００Ａを表面側粘着面１２０に貼り付ける。
【００２３】
ついで、左から２番目の表面側粘着面１２０のピール紙１４０を剥離し、２枚目のシート片２００Ｂを表面側粘着面１２０に貼り付ける。この作業を繰り返すことで、３枚のシート片２００Ａ、２００Ｂ、２００Ｃを表側粘着面１２０に次々と貼り付けていく（図２（Ｃ）参照）。
【００２４】
次に、図２（Ｄ）に示すように、残っている裏面側粘着面１３０をカバーしているピール紙１４０を剥離する。そして、図２（Ｄ）に示す矢印のように粘着シート１００を蛇腹状に折り畳むことで、裏面側粘着面１３０を前記シート片２００Ａ、２００Ｂ、２００Ｃが貼り付けられている表面側粘着面１２０の裏側に相当するベースシート１１０に貼り付けていく。
【００２５】
これにより、図２（Ｅ）に示すように、ピール紙１４０を剥離した粘着シート１００全体が蛇腹状に折り畳まれるため、ベースシート１１０も蛇腹状に折り畳まれて、その状態が裏側面粘着面１３０によって維持される。
なお、この状態から図２（Ｆ）に示すように、背部分に補強シート３００を取り付けてもよい。
【００２６】
上述した実施の形態では、複数枚のシート片２００Ａ等を書籍のように綴じるための道具として本考案に係る粘着シート１００を用いたが、この粘着シート１００は以下のような使い方も可能である。
【００２７】
すなわち、ポスター等をなにか別のものに貼り付ける際に、いわゆる粘着テープのように使用することができるのである。いわゆる粘着テープはリング状の心材にロール状に巻回されているので、鞄等にいれて常時持ち運びすることはできなかった。
そこで、この粘着シート１００を粘着テープの代用品とするのである。まず、例えば、ベースシート１１０の幅寸法を、例えば５ｃｍ程度に設定し、ピール紙１４０を付けた状態で蛇腹状に折り畳む。この状態ではいわゆる付箋紙と同等のサイズに納めることができるので、手帳等に挟み込んで持ち運びすることができる。
【００２８】
粘着テープの代用品とする場合には、蛇腹状に折り畳んだ状態で最も上側に位置する表面側粘着面１２０又は裏面側粘着面１３０がある部分を折り目１１５の部分から切断する。そして、ピール紙１４０を剥離すると、ベースシート１１０の表面１１１又は裏面１１２の表面側粘着面１２０又は裏面側粘着面１３０が露出する。これを粘着テープの代用品とするのである。
【００２９】
なお、図３に示すように、ベースシート１１０の折り目１１５の部分にミシン目１１６を形成しておくと、ベースシート１１０を容易に切断することができるので非常に便利である。
【図面の簡単な説明】
【００３０】
【図１】本考案の実施の形態に係る粘着シートの概略的斜視図である。
【図２】本考案に係る粘着シートを用いて複数枚のシートを書籍のように綴じる手順を示す概略的説明図である。
【図３】本考案の実施の形態に係る粘着シートに用いられるベースシートの概略的平面図である。
【符号の説明】
【００３１】
１００    粘着シート
１１０    ベースシート
１１５    折り目
１２０    表面側粘着面
１３０    裏面側粘着面
１４０    ピール紙
【図１】
0003141689.tif 000003
【図２】
0003141689.tif 000004
【図３】
0003141689.tif 000005